(57)【要約】      （修正有）【課題】構成を簡素化でき、携帯の利便性を確保できる組立式マスクを提供する。【解決手段】組立式マスクは、板素材によって展開形態において平坦に形成され、展開形態から立体形態に組み立てられるマスク本体１０を備える。マスク本体は、鼻口覆い部１５と、第１突起部１６と、第２突起部１７と、を備える。鼻口覆い部は、装着者の顔部において鼻腔部や口部を覆う。第１突起部及び第２突起部は、鼻口覆い部に一体に形成され、鼻口覆い部から装着者の顔部に向けて突起するように組み立てられる。【選択図】図４
0003228414.tif 000002
【実用新案登録請求の範囲】
【請求項１】
板素材によって展開形態において平坦に形成され、前記展開形態から立体形態に組み立てられるマスク本体を備えた組立式マスクであって、
前記マスク本体は、
装着者の顔部において鼻腔部や口部を覆う鼻口覆い部と、
前記鼻口覆い部に一体に形成され、前記鼻口覆い部から前記装着者の顔部に向けて突起するように組み立てられる突起部と、
を備えることを特徴とする組立式マスク。
【請求項２】
前記鼻口覆い部は、
前記展開形態において、
左右方向の中央で、かつ、上下方向の中央部位から下端まで左右方向に徐々に大きく開口する開口部と、
前記開口部の頂部から上方へ向けて形成されたスリットと、
前記開口部の左右方向の一方の辺から前記開口部の左右方向の他方の辺に向けて突出された係止片と、
前記他方の辺から前記一方の辺の反対側に所定間隔離れた位置に形成され、前記係止片が差し込まれて係止する係止スリットと、
を有することを特徴とする請求項１に記載の組立式マスク。
【請求項３】
前記突起部は、
前記展開形態で前記鼻口覆い部の下端部から下方に向けて突出され、筒状に折り曲げられる折曲部と、
前記折曲部が筒状に折り曲げられた状態において、前記鼻口覆い部に形成された他の係止スリットに差し込まれて係止することにより、前記折曲部を前記筒状の組立形態に保持する他の係止片と、
を有することを特徴とする請求項１又は請求項２に記載の組立式マスク。
【請求項４】
前記突起部は、
前記鼻口覆い部と前記折曲部との間に形成され、前記折曲部より幅狭に形成されたくびれ部を有することを特徴とする請求項３に記載の組立式マスク。
【請求項５】
前記突起部は、
前記鼻口覆い部の下端部において、左右方向の中央部に対して左右の両側の２箇所に形成されていることを特徴とする請求項１から４のいずれか１項に記載の組立式マスク。
【請求項６】
前記鼻口覆い部は、
前記鼻口覆い部が前記装着者の鼻部の先端に接触し、前記突起部が、前記装着者の顎部に接触した状態において、前記突起部の反対側の端部に前記顔部から離れた位置に配置される離隔部を有することを特徴とする請求項１から５のいずれか１項に記載の組立式マスク。
【請求項７】
前記マスク本体は、透明又は半透明な板素材で形成されていることを特徴とする請求項１から６のいずれか１項に記載の組立式マスク。
【請求項８】
前記マスク本体を前記顔部に装着するために前記マスク本体の左右の端部に設けられて、長さを調整できる掛け紐部を備えることを特徴とする請求項１から７のいずれか１項に記載の組立式マスク。
【考案の詳細な説明】
【技術分野】
【０００１】
本考案は、組立式マスクに関するものである。
【背景技術】
【０００２】
従来から、装着者の鼻腔部や口部（以下、鼻口部ということもある）を覆うマスクとして、相対する人に装着者の顔部がよく見えるように、鼻口部を覆う部分を透明又は半透明の素材で形成したものが提案されている。
【０００３】
例えば特許文献１には、マスク本体が透明又は半透明のシート材で立体に形成され、マスク本体の下部の吹き抜き口に通気性素材部が設けられたマスクが開示されている。特許文献１に記載の技術によれば、マスク本体を立体に形成することにより、装着時に鼻口部との間に空間を生じさせることができる。また、マスク本体を透明又は半透明のシート材で形成することにより、相対する人（以下、対面者ということもある）からマスク装着者の鼻口部がよく見え、顔部の表情を自然に見せることができる。
【先行技術文献】
【特許文献】
【０００４】
【特許文献１】特開２００９−１８９６７６号公報
【考案の概要】
【考案が解決しようとする課題】
【０００５】
しかしながら、上述した特許文献１に記載のマスクにあっては、マスク本体が透明又は半透明のシート材で形成され、マスク本体の吹き抜き口に通気性素材部が設けられている。このため、マスクの構成が複雑になり、この観点から改良の余地が残されていた。
また、マスクが立体に形成されているため、マスクを外して携帯する場合や、予備のマスクを携帯する場合に、携帯に工夫が要求され、この観点から改良の余地が残されていた。
【０００６】
そこで本考案は、構成を簡素化でき、携帯の利便性を確保できる組立式マスクを提供することを目的とする。
【課題を解決するための手段】
【０００７】
上記の課題を解決するため、本考案の組立式マスク（例えば、第１実施形態における組立式マスク１）は、板素材によって展開形態において平坦に形成され、前記展開形態から立体形態に組み立てられるマスク本体（例えば、第１実施形態におけるマスク本体１０）を備えた組立式マスクであって、前記マスク本体は、装着者（例えば、第１実施形態における装着者２）の顔部（例えば、第１実施形態における顔部３）において鼻腔部（例えば、第１実施形態における鼻腔部４）や口部（例えば、第１実施形態における口部５）を覆う鼻口覆い部（例えば、第１実施形態における鼻口覆い部１５）と、前記鼻口覆い部に一体に形成され、前記鼻口覆い部から前記装着者の顔部に向けて突起するように組み立てられる突起部（例えば、第１実施形態における第１突起部１６、第２突起部１７）と、を備えることを特徴としている。
【０００８】
本考案によれば、突起部を組み立てることにより、突起部を鼻口覆い部から装着者の顔部に向けて突起させた。よって、マスク本体を顔部に装着させた状態において、突起部を顔部に接触させることにより、鼻口覆い部のうち突起部の周囲の部位を顔部から間隔をおいて離すことができる。これにより、装着者は、例えば呼吸が容易になり、マスクを装着したことによる息苦しさ等を回避できる。
【０００９】
また、マスク本体の鼻口覆い部と突起部とを板素材によって一体に形成した。これにより、マスク本体の構成を簡素化できる。
さらに、マスク本体を板素材によって展開形態で平坦に形成した。これにより、展開形態の組立式マスクの収納空間を小さく抑えることができ、搬送や携帯の利便性を確保できる。加えて、外出中において、組立マスクを使用しない場合にも、マスク本体を組立形態から展開形態に戻すことにより、携帯の利便性を確保できる。
【００１０】
また、本考案の組立式マスクは、前記鼻口覆い部は、前記展開形態において、左右方向の中央で、かつ、上下方向の中央部位から下端まで左右方向に徐々に大きく開口する開口部（例えば、第１実施形態における開口部２１）と、前記開口部の頂部（例えば、第１実施形態における開口部の上端２１ｅ）から上方へ向けて形成されたスリット（例えば、第１実施形態における開口スリット２２）と、前記開口部の左右方向の一方の辺（例えば、第１実施形態における開口右辺２１ａ）から前記開口部の左右方向の他方の辺（例えば、第１実施形態における開口左辺２１ｂ）に向けて突出された係止片（例えば、第１実施形態における係止片２３）と、前記他方の辺から前記一方の辺の反対側に所定間隔離れた位置に形成され、前記係止片が差し込まれて係止する係止スリット（例えば、第１実施形態における係止スリット２４）と、を有することを特徴としている。
【００１１】
本考案によれば、鼻口覆い部に開口部とスリットとを形成した。また、開口部の一方の辺から係止片を突出させ、開口部の他方の辺から所定間隔離れた位置に係止スリットを形成した。よって、開口部の一方の辺と他方の辺とを重ね合わせ、係止片を係止スリットに差し込んで係止できる。よって、スリットの端部を頂部とする概ね円錐形の立体に鼻口覆い部を形成できる。これにより、鼻口覆い部を装着者の顔部に合わせるように簡単に形成でき、顔部を鼻口覆い部で良好に覆うことができる。
【００１２】
また、開口部の他方の辺から所定間隔離れた位置に係止スリットを形成した。これにより、開口部の一方の辺と他方の辺との重合わせ量を十分に確保できる。
ここで、開口部の一方の辺と他方の辺との重合わせ量は、一方の辺と他方の辺との交差部に向うに従って小さくなる。そこで、開口部の交差部から上方へ向けてスリットを形成した。よって、スリットの一方辺と他方の辺との間隔を、開口部に比べて小さく抑えることができる。これにより、スリットの周辺部の重合わせ量も十分に確保できる。
【００１３】
このように、鼻口覆い部は、装着者の顔部を鼻口覆い部で良好に覆うように形成され、さらに、開口部及びスリットの重合わせ量を十分に確保するように形成されている。これにより、例えば、装着者の体内から発する飛翔物の拡散を鼻口覆い部で好適に防止できる。
【００１４】
さらに、係止片を係止スリットから抜き出して外すことにより、鼻口覆い部を組立前の平坦な展開形態に戻すことができる。これにより、組立マスクを使用しない場合にも携帯の利便性を確保できる。
【００１５】
また、本考案の組立式マスクは、前記突起部は、前記展開形態で前記鼻口覆い部の下端部（例えば、第１実施形態における覆い本体部の下辺部３２）から下方に向けて突出され、筒状に折り曲げられる折曲部（例えば、第１実施形態における折曲部５１）と、前記折曲部が筒状に折り曲げられた状態において、前記鼻口覆い部に形成された他の係止スリット（例えば、第１実施形態における第１係止スリット２５、第２係止スリット２６）に差し込まれて係止することにより、前記折曲部を前記筒状の組立形態に保持する他の係止片（例えば、第１実施形態における突起係止片５３）と、を有することを特徴としている。
【００１６】
本考案によれば、突起部の折曲部を筒状に折り曲げ、他の係止片を他の係止スリットに差し込んで折曲部を筒状の組立形態に保持する。これにより、折曲部を筒状の組立形態に簡単に保持できる。
また、他の係止片を他の係止スリットから抜き出して外すことにより、突起部を組立前の平坦な展開形態に戻すことができる。これにより、組立マスクを使用しない場合にも携帯の利便性を確保できる。
【００１７】
また、本考案の組立式マスクは、前記突起部は、前記鼻口覆い部と前記折曲部との間に形成され、前記折曲部より幅狭に形成されたくびれ部（例えば、第１実施形態における第１くびれ部５２）を有することを特徴としている。
【００１８】
本考案によれば、突起部のうち、鼻口覆い部に接続する基部にくびれ部を有する。よって、突起部を筒状に組み立てた状態において、突起部をくびれ部で好適に折り曲げることができる。これにより、突起部を鼻口覆い部から装着者の顔部に向けて突起するように好適に組み立てることができる。
【００１９】
また、本考案の組立式マスクは、前記突起部は、前記鼻口覆い部の下端部において、左右方向の中央部に対して左右の両側の２箇所に形成されていることを特徴としている。
【００２０】
本考案によれば、鼻口覆い部の下端部において、突起部を左右の両側の２箇所に形成した。これにより、例えば、２つの突起部を顔部の顎部に接触させることにより、鼻口覆い部（組立式マスク）を顔部に安定的に装着できる。
【００２１】
また、本考案の組立式マスクは、前記鼻口覆い部は、前記鼻口覆い部が前記装着者の鼻部（例えば、第１実施形態における鼻部８）の先端（例えば、第１実施形態における先端８ａ）に接触し、前記突起部が、前記装着者の顎部（例えば、第１実施形態における顎部９）に接触した状態において、前記突起部の反対側の端部に前記顔部から離れた位置に配置される離隔部（例えば、第１実施形態における離隔部２０ｅ）を有することを特徴としている。
【００２２】
本考案によれば、鼻口覆い部を鼻部の先端に接触させ、突起部を顎部に接触させた状態において、突起部の反対側の離隔部を顔部から離すことができる。これにより、装着者は、例えば呼吸が一層容易になり、マスクを装着したことによる息苦しさ等を一層良好に回避できる。
【００２３】
また、本考案の組立式マスクは、前記マスク本体は、透明又は半透明な板素材で形成されていることを特徴としている。
【００２４】
本考案によれば、マスク本体を透明又は半透明な板素材で形成した。これにより、組立式マスクを装着した装着者の顔部（特に、口部や鼻部）を、相対する人（対面者）からよく見えるようにでき、装着者の顔部の表情を自然に見せることができる。
【００２５】
また、本考案の組立式マスクは、前記マスク本体を前記顔部に装着するために前記マスク本体の左右の端部に設けられて、長さを調整できる掛け紐部（例えば、第１実施形態における第１掛け紐部１１、第２掛け紐部１２）を備えることを特徴としている。
【００２６】
本考案によれば、マスク本体の両端部に長さを調整可能な掛け紐部を設けた。これにより、掛け紐部を左右の耳に掛けることにより、マスク本体を顔面に装着できる。また、掛け紐部の長さを調整することにより、顔部に装着したマスク本体の湾曲状態を調整できる。よって、マスク本体を装着者の顔部に好適に合わせることができる。これにより、例えば、装着者の呼吸を好適に確保した状態で、装着者の体内から発する飛翔物の拡散を鼻口覆い部で好適に防止できる。
【考案の効果】
【００２７】
本考案によれば、マスク本体の鼻口覆い部と突起部とを板素材によって一体に形成することにより、マスク本体の構成を簡素化できる。さらに、マスク本体を展開形態で平坦に形成することにより、搬送や携帯の利便性を確保できる。
【図面の簡単な説明】
【００２８】
【図１】本考案の実施形態に係る組立式マスクを立体に組み立てた状態で装着者の顔部に装着した斜視図。
【図２】実施形態に係る組立式マスクのマスク本体を平坦に展開した平面図。
【図３】実施形態に係る組立式マスクの第１掛け紐部及び第２掛け紐部を平坦に展開した平面図。
【図４】実施形態に係るマスク本体を立体に組み立てる例を説明する平面図。
【図５】実施形態に係るマスク本体を立体に組み立てた斜視図。
【図６】図５のＶＩ―ＶＩ線に沿って破断した断面図。
【図７】図５のＶＩＩ―ＶＩＩ線に沿って破断した断面図。
【図８】図１のＶＩＩＩ―ＶＩＩＩ線に沿って破断した断面図。
【考案を実施するための形態】
【００２９】
以下、本考案の実施形態を図面に基づいて説明する。なお、以下の説明では、略同一又は類似の機能を有する構成に同一の符号を付して、重複する説明を省略する場合がある。
図１は、組立式マスク１を立体に組み立てた状態で装着者２の顔部３に装着した斜視図である。
図１に示すように、組立式マスク１は、装着者２の顔部３のうち鼻腔部４や口部５（すなわち、鼻口部６）を覆うように形成される。組立式マスク１は、マスク本体１０と、第１掛け紐部（掛け紐部）１１と、第２掛け紐部（掛け紐部）１２（図３、図５参照）と、を備える。
【００３０】
マスク本体１０は、例えば、アクリル（ＰＭＭＡ）、ポリエチレン（ＰＥＴ）等の合成樹脂の透明または半透明な板素材から型抜き加工等により形成される。マスク本体１０は、組み立てられた状態において、立体形態に保たれて顔部３に良好に接触できる程度の硬さと、熱や湿度等の変化に影響を受け難いものであればよく、樹脂原料、製造工程等は特に限定されない。また、装着者２の使用用途、使用場所および使用目的に従い、採用する合成樹脂は硬度や温度や湿度などに対して異なる性質のものを選択してもよい。
【００３１】
マスク本体１０は、鼻口部６を覆う鼻口覆い部１５と、鼻口覆い部１５に一体に形成された第１突起部（突起部）１６及び第２突起部（突起部）１７と、を備える。
なお、以下の説明において、組立式マスク１の上下方向を顔部３の上下方向と一致させ、組立式マスク１の左右方向を顔部３の左右方向と一致させて説明する。また、図中において、上方向をＵＰ、下方向をＤＷ、左方向をＬ、右方向をＲで示す。
【００３２】
以下、マスク本体１０を平坦に展開した状態を図２、図３に基づいて説明する。
図２は、組立式マスク１のマスク本体１０を平坦に展開した平面図である。図３は、組立式マスク１の第１掛け紐部１１及び第２掛け紐部１２を平坦に展開した平面図である。
図２、図３に示すように、鼻口覆い部１５は、覆い本体部２０と、開口部２１と、開口スリット（スリット）２２と、係止片２３と、係止スリット２４と、第１係止スリット（他の係止スリット）２５と、第２係止スリット（他の係止スリット）２６と、第１掛け突起２７と、第２掛け突起２８と、を有する。
【００３３】
覆い本体部２０は、例えば、上辺部３１と、下辺部（下端部）３２と、を有する。覆い本体部２０は、上辺部３１及び下辺部３２により概ね菱形に形成されている。
上辺部３１は、例えば、第１上傾斜辺３３と、第２上傾斜辺３４と、第３上傾斜辺３５と、第４上傾斜辺３６と、を有する。下辺部３２は、例えば、第１下辺４１と、第１下傾斜辺４２と、第２下辺４３と、第２下傾斜辺４４と、を有する。
【００３４】
第１上傾斜辺３３は、上辺部３１のうち左右方向の中央部３１ａから左方向に向うに従って下方に傾斜するように延びている。第２上傾斜辺３４は、第１上傾斜辺３３の左端３３ａから左方向に向うに従って第１上傾斜辺３３より大きな傾斜で下方に延びている。
第３上傾斜辺３５は、上辺部３１のうち左右方向の中央部３１ａから右方向に向うに従って下方に傾斜することにより、第１上傾斜辺３３に対して左右対称に延びている。第４４上傾斜辺  は、第３上傾斜辺３５の右端３５ａから右方向に向うに従って第３上傾斜辺３５より大きな傾斜で、第２上傾斜辺３４に対して左右対称に下方へ延びている。
【００３５】
第１下辺４１は、後述する開口部２１の左側開口端から左方向に延びている。第１下傾斜辺４２は、第１下辺４１の左端４１ａから左方向に向うに従って上方に傾斜するように延びている。
第２下辺４３は、後述する開口部２１の右側開口端から右方向に延びている。第２下傾斜辺４４は、第２下辺４３の右端４３ａから右方向に向うに従って上方に傾斜することにより、第１下傾斜辺４２に対して左右対称に延びている。
【００３６】
開口部２１は、覆い本体部２０において、左右方向の中央で、かつ、上下方向の中央部位から第１下辺４１及び第２下辺４３まで左右方向に徐々に大きく開口するように形成されている。開口部２１は、開口右辺（一方の辺）２１ａと、開口左辺（他方の辺）２１ｂと、を有する。
開口右辺２１ａは、開口部２１の左右方向の右側に位置し、第１右辺２１ｃと、第２右辺２１ｄと、を有する。第１右辺２１ｃは、開口部２１の上端（頂部）２１ｅから下方に向うに従って右方向に傾斜するように延びている。開口部２１の上端２１ｅは、開口右辺２１ａと開口左辺２１ｂとが交差する部位である。第２右辺２１ｄは、第１右辺２１ｃの下端２１ｆから第２下辺４３まで下方に向けて延びている。
開口左辺２１ｂは、開口部２１の左右方向の左側に位置し、開口部２１の上端２１ｅから第１下辺４１まで下方に向けて延びている。
開口スリット２２は、開口部２１の上端２１ｅから上方へ向けて切込みが形成されている。
【００３７】
係止片２３は、第２右辺２１ｄから開口左辺２１ｂに向けて突出されている。係止片２３は、くびれ部２３ａと、一対の突片２３ｂと、を有する。くびれ部２３ａは、係止片２３の基端部に形成されている。一対の突片２３ｂは、くびれ部２３ａに隣接する第２右辺２１ｄの反対側おいて、くびれ部２３ａから上下方向に突出されている。
係止スリット２４は、開口左辺２１ｂから開口右辺２１ａの反対側に所定間隔離れた位置で、かつ、第１下傾斜辺４２から上方に所定間隔離れた位置において、第１下傾斜辺４２に直交するように切込みが傾斜状に形成されている。係止スリット２４は、係止片２３が差し込まれて係止するように形成されている。
【００３８】
第１係止スリット２５は、第１下傾斜辺４２から上方に所定間隔離れた位置で、かつ、後述する第１突起部１６に対向する位置において、第１下傾斜辺４２に沿って切込みが形成されている。第１係止スリット２５は、第１突起部１６の突起係止片５３（後述する）が差し込まれて係止するように形成されている。
第２係止スリット２６は、第２下傾斜辺４４から上方に所定間隔離れた位置で、かつ、後述する第２突起部１７に対向する位置において、第２下傾斜辺４４に沿って切込みが形成されている。第２係止スリット２６は、第２突起部１７の突起係止片５３（後述する）が差し込まれて係止するように形成されている。
【００３９】
第１掛け突起２７は、覆い本体部２０の左端２０ａから左方向に向うに従って上方に傾斜するように第１下傾斜辺４２の延長線に沿って延びている。第１掛け突起２７は、一対の取付孔４６を有する。一対の取付孔４６は、第１掛け突起２７の左端部２７ａに沿って上下方向に間隔をおいて貫通されている。一対の取付孔４６には、第１掛け紐部１１（図３参照）が挿通された状態に取り付けられる。
第２掛け突起２８は、第１掛け突起２７と同様に、覆い本体部２０の右端２０ｂから右方向に向うに従って上方に傾斜するように第２下傾斜辺４４の延長線に沿って延びている。第２掛け突起２８は、一対の取付孔４７を有する。一対の取付孔４７は、第２掛け突起２８の右端部２８ａに沿って上下方向に間隔をおいて貫通されている。一対の取付孔４７には、第２掛け紐部１２（図３参照）が挿通された状態に取り付けられる。
【００４０】
第１突起部１６は、折曲部５１と、第１くびれ部（くびれ部）５２と、突起係止片（他の係止片）５３と、第２くびれ部５４と、を有する。
折曲部５１は、第１下傾斜辺４２から下方に向けて突出され、例えば提灯型に形成されている。具体的は、折曲部５１は、一対の第１湾曲辺５１ａと、一対の長辺５１ｂと、一対の第２湾曲辺５１ｃと、を有する。
【００４１】
一対の第１湾曲辺５１ａは、第１下傾斜辺４２に沿う方向に間隔をおいて配置され、第１下傾斜辺４２から離れるに従って間隔が大きくなるように形成されている。一対の第１湾曲辺５１ａにより、折曲部５１の基端部５１ｄが形成される。一対の長辺５１ｂは、一対の第１湾曲辺５１ａの下端から第１下傾斜辺４２に対して直交するように延びている。一対の第２湾曲辺５１ｃは、一対の長辺５１ｂの下端から第１下傾斜辺４２から離れるに従って間隔が小さくなるように形成されている。一対の第２湾曲辺５１ｃにより、折曲部５１の先端部５１ｅが形成される。
【００４２】
第１くびれ部５２は、第１下傾斜辺４２と基端部５１ｄとの間に形成（介在）されている。第１くびれ部５２は、一対の長辺５１ｂ間の幅（すなわち、折曲部５１）の幅）より幅狭に形成されている。さらに、折曲部５１は、基端部５１ｄが一対の第１湾曲辺５１ａにより第１下傾斜辺４２に向うに従って幅が狭くなるように形成されている。よって、第１突起部１６は、第１くびれ部５２及び折曲部５１の基端部５１ｄにおいて、折曲部５１が好適に折り曲げられるように形成されている。
【００４３】
突起係止片５３は、折曲部５１の先端部５１ｅから下方に突出されている。突起係止片５３は、第１係止スリット２５に差し込まれて係止するように形成されている。
第２くびれ部５４は、突起係止片５３と先端部５１ｅとの間に形成（介在）されている。第２くびれ部５４は、第１くびれ部５２と同様に、一対の長辺５１ｂ間の幅（すなわち、折曲部５１）の幅）より幅狭に形成されている。さらに、折曲部５１は、先端部５１ｅが一対の第２湾曲辺５１ｃにより突起係止片５３に向うに従って幅が狭くなるように形成されている。よって、第１突起部１６は、第２くびれ部５４及び折曲部５１の先端部５１ｅにおいて、折曲部５１が好適に折り曲げられるように形成されている。
【００４４】
第２突起部１７は、第１突起部１６と同様に形成されている。よって、第２突起部１７の各構成部に第１突起部１６と同じ符号を付して詳しい説明を省略する。
【００４５】
以上説明した、展開形態のマスク本体１０は、一例として、各寸法が以下のように設定することが好ましい。なお、マスク本体１０各寸法は、以下の寸法に限定するものではない。
展開形態のマスク本体１０は、マスク本体１０の全高（上辺部３１の中央部３１ａと下辺部３２の第１、第２の下辺４１，４３との間の高さ）Ｈ１は１２０ｍｍである。下辺部３２の第１、第２の下辺４１，４３と開口スリット２２の上端２２ａとの間の高さＨ２は９０ｍｍである。下辺部３２の第１、第２の下辺４１，４３と開口部２１の上端２１ｅとの間の高さＨ３は７２ｍｍである。
【００４６】
マスク本体１０の全幅（第１掛け突起２７の左下端２７ｂと第２掛け突起２８の右下端２８ｂとの間の幅）Ｗ１は２８０ｍｍである。第１掛け突起２７の左上端２７ｃと第２掛け突起２８の右上端２８ｃとの間の幅Ｗ２は２３０ｍｍである。第２上傾斜辺３４の左端３４ａと第４上傾斜辺３６の右端３６ａとの間の幅Ｗ３は１６０ｍｍである。
第１上傾斜辺３３の左端３３ａと第３上傾斜辺３５の右端３５ａとの間の幅Ｗ４は５５ｍｍである。
第１下辺４１と第１下傾斜辺４２との交差角θ１は１５０°である。第２下辺４３と第２下傾斜辺４４との交差角θ２は１５０°である。
【００４７】
第１突起部１６の全幅（折曲部５１の一対の長辺５１ｂ間の幅）Ｗ５は３５ｍｍである。第１突起部１６の第１くびれ部５２の幅Ｗ６は１７ｍｍである。第１くびれ部５２の幅Ｗ６を第１突起部１６の全幅Ｗ５より幅狭に形成することにより、折曲部５１が好適に折り曲げられるように形成されている。第１突起部１６の高さ（第１下傾斜辺４２と突起係止片５３との間の高さ）Ｈ４は５５ｍｍである。
第２突起部１７の全幅、第１くびれ部５２、及び高さも、第１突起部１６の全幅、第１くびれ部５２、及び高さと同様に設定されている。
【００４８】
第１掛け紐部１１は、例えば、伸縮性や弾性を有し、第１掛け突起２７の一対の取付孔４６（図２参照）に挿通可能で、両端部１１ａを結ぶことができる素材で形成されている。また、第１掛け紐部１１は、装着者２の左耳部７（図１参照）に掛けた状態で左耳部７に馴染む素材で形成されている。
第２掛け紐部１２は、第１掛け紐部１１と同様の素材で形成されている。よって、第２掛け紐部１２を第２掛け突起２８の一対の取付孔４７（図２参照）に挿通でき、さらに第２掛け紐部１２の両端部１２ａを結ぶことができる。加えて、第２掛け紐部１２を装着者２（図１参照）の右耳部（図示せず）に掛けた状態で右耳部に馴染ませることができる。
【００４９】
以下、展開形態のマスク本体１０を立体形態に組み立てる例を図４から図７に基づいて説明する。
図４は、展開形態のマスク本体１０を立体に組み立てる例を説明する平面図である。図５は、マスク本体１０を立体形態に組み立てた斜視図である。図６は、図５のＶＩ―ＶＩ線に沿って破断した断面図である。図７は、図５のＶＩＩ―ＶＩＩ線に沿って破断した断面図である。
【００５０】
図４から図６に示すように、例えば、係止片２３を覆い本体部２０の表面２０ｃ側から係止スリット２４に矢印Ａの如く差し込む。係止片２３の一対の突片２３ｂが係止スリット２４から覆い本体部２０の裏面２０ｄ側に突出して、くびれ部２３ａが係止スリット２４に配置される。これにより、係止片２３が係止スリット２４に係止される。なお、係止スリット２４から覆い本体部２０の裏面２０ｄ側に突出した係止片２３を折り曲げてもよい。これにより、係止片２３を係止スリット２４に一層良好に係止できる。
【００５１】
係止片２３を係止スリット２４に係止することにより、覆い本体部２０が展開形態から、立体形態に組み立てられる。具体的には、覆い本体部２０は、顔部３の鼻口部６（図１参照）を覆うように、開口スリット２２の上端（端部）２２ａを頂部とする概ね円錐形の立体に組み立てられる。
この状態において、開口部２１の開口右辺２１ａが開口左辺２１ｂを乗り越えて、開口右辺２１ａの近傍２１ｇが開口左辺２１ｂの近傍２１ｈに表面２０ｃ側から重なるように配置される。また、開口スリット２２の右辺２２ｉが開口スリット２２の左辺２２ｊを乗り越えて、右辺２２ｉの近傍２２ｋが左辺２２ｊの近傍２２ｌに表面側から重なるように配置される。
【００５２】
図４、図５、図７に示すように、第１突起部１６の折曲部５１を覆い本体部２０の裏面２０ｄ側に筒状（ループ状）に折り曲げ、突起係止片５３を覆い本体部２０の裏面２０ｄ側から第１係止スリット２５に矢印Ｂの如く差し込む。突起係止片５３が第１係止スリット２５から覆い本体部２０の表面２０ｃ側に突出して、第２くびれ部５４が係止スリット２４に配置される。第１係止スリット２５から突出した突起係止片５３を上方に矢印Ｃの如く折り曲げることにより、突起係止片５３を第１係止スリット２５に良好に係止させることができる。なお、第１係止スリット２５から突出した突起係止片５３を下方に折り曲げてもよい。
突起係止片５３を折り曲げることにより、第１突起部１６が筒状に折り曲げられた状態に保持される。これにより、第１突起部１６は、折曲部５１が覆い本体部２０の裏面２０ｄから装着者２の顔部３（図１参照）に向けて突起するように筒状の立体に組み立てられる。
【００５３】
また、第２突起部１７の突起係止片５３を、第１突起部１６と同様に、折曲部５１を筒状（ループ状）に矢印Ｄの如く折り曲げて第２係止スリット２６に係止する。これにより、第２突起部１７は、折曲部５１が覆い本体部２０の裏面２０ｄから装着者２の顔部３（図１参照）に向けて突起するように筒状の立体に組み立てられる。
ここで、第１突起部１６が第１下傾斜辺４２に設けられ、第２突起部１７が第２下傾斜辺４４に設けられている。これにより、第１突起部１６及び第２突起部１７は、覆い本体部２０の下辺部３２において、左右方向の中央部に対して左右の両側の２箇所に形成されている。
【００５４】
このように、覆い本体部２０は、展開形態から概ね円錐形の立体に組み立てられる。また、第１突起部１６及び第２突起部１７は、各折曲部５１が筒状の立体に組み立てられる。これにより、マスク本体１０は、展開形態から立体形態に組み立てられる。
【００５５】
立体形態に組み付けられたマスク本体１０に第１掛け紐部１１及び第２掛け紐部１２を取り付ける。
すなわち、第１掛け突起２７の一対の取付孔４６に第１掛け紐部１１を挿通して、第１掛け紐部１１の両端部１１ａが結び目１１ｂで結ばれ、第１掛け紐部１１が輪に形成される。また、第１掛け突起２７の一対の取付孔４７に第２掛け紐部１２を挿通して、第２掛け紐部１２の両端部１２ａが結び目１２ｂで結ばれ、第２掛け紐部１２が輪に形成される。
これにより、組立式マスク１の組立が完了する。
【００５６】
ついで、組み付けられた組立式マスク１を装着者２の顔部３に装着する例を図１、図８に基づいて説明する。
図８は、図１のＶＩＩＩ―ＶＩＩＩ線に沿って破断した断面図である。
図１、図８に示すように、第１掛け突起２７に取り付けられた輪形の第１掛け紐部１１を装着者２の左耳部７に掛ける。また、第２掛け突起２８に取り付けられた輪形の第２掛け紐部１２（図５参照）を装着者２の左耳部（図示せず）に掛ける。
立体に組み立てられた覆い本体部２０の頂部（すなわち、開口スリット２２の上端）２２ａの裏面２０ｄが、顔部３の鼻部８の先端８ａに接触する。また、筒状に組み立てられた第１突起部１６の折曲部５１が、顔部３の顎部９のうち左側の部位９ａに接触する。さらに、筒状に組み立てられた第２突起部１７の折曲部５１が、顔部３の顎部９のうち右側の部位９ｂに接触する。これにより、組立式マスク１が装着者２の顔部３に装着される。
【００５７】
ここで、覆い本体部２０のうち、第１突起部１６及び第２突起部１７の反対側の端部に離隔部２０ｅを有する。離隔部２０ｅは、例えば、覆い本体部２０の上辺部３１で形成されている。離隔部２０ｅは、覆い本体部２０の頂部（開口スリット２２の上端）２２ａが鼻部８の先端８ａに接触し、第１突起部１６及び第２突起部１７の折曲部５１が顎部９の左右側の各部位９ａ，９ｂに接触した状態において、顔部３から離れた位置に配置される。
【００５８】
また、第１掛け紐部１１の結び目１１ｂ（図５参照）の位置を調整することにより、第１掛け突起２７の輪の長さを調整できる。同様に、第２掛け紐部１２の結び目１２ｂ（図５参照）の位置を調整することにより、第２掛け突起２８の輪の長さを調整できる。
【００５９】
ここで、組立式マスク１は、例えば、組立式マスク１を装着する必要のない環境においては、組立式マスク１を顔部３から外すことが考えられる。この場合には、組立式マスク１を顔部３から外して、係止片２３を係止スリット２４から外し、第１突起部１６及び第２突起部１７の突起係止片５３を第１係止スリット２５及び第２係止スリット２６から外す。これにより、組立式マスク１を展開形態に簡単に戻すことができ、組立式マスク１を環境に合わせて、展開形態と組立形態とに簡単に切り換えることができる。
【００６０】
以上説明したように、実施形態の組立式マスク１によれば、マスク本体１０を顔部３に装着させた状態において、筒状に組み立てられた第１突起部１６の折曲部５１を、顔部３の顎部９のうち左側の部位９ａに接触させることができる。さらに、筒状に組み立てられた第２突起部１７の折曲部５１を、顔部３の顎部９のうち右側の部位９ｂに接触させることができる。よって、覆い本体部２０のうち、第１突起部１６及び第２突起部１７の周囲の部位２０ｆ（図１、図８参照）を顔部３から間隔をおいて離すことができる。これにより、装着者２は、例えば呼吸が容易になり、組立式マスク１を装着したことによる息苦しさ等を回避できる。
【００６１】
また、マスク本体１０は、鼻口覆い部１５、第１突起部１６、及び第１突起部１６を板素材によって一体に形成されている。これにより、マスク本体１０の構成を簡素化できる。
さらに、マスク本体１０を板素材によって展開形態で平坦に形成した。これにより、展開形態のマスク本体１０（すなわち、組立式マスク１）の収納空間を小さく抑えることができ、搬送や携帯の利便性を確保できる。加えて、外出中において、組立式マスク１を使用しない場合にも、マスク本体１０を組立形態から展開形態に戻すことにより、携帯の利便性を確保できる。
【００６２】
また、鼻口覆い部１５に開口部２１と開口スリット２２とを形成した。さらに、開口部２１の開口右辺２１ａから係止片２３を突出させ、開口左辺２１ｂから所定間隔離れた位置に係止スリット２４を形成した。よって、開口右辺２１ａと開口左辺２１ｂとを重ね合わせ、係止片２３を係止スリット２４に差し込んで係止できる。よって、開口スリット２２の上端２２ａを頂部とする概ね円錐形の立体に覆い本体部２０を形成できる。これにより、覆い本体部２０を装着者２の顔部３に合わせるように簡単に形成でき、顔部３を覆い本体部２０で良好に覆うことができる。
【００６３】
また、開口左辺２１ｂから所定間隔離れた位置に係止スリット２４を形成した。これにより、開口右辺２１ａの近傍２１ｇと開口左辺２１ｂの近傍２１ｈとの重合わせ量を十分に確保できる。
ここで、開口右辺２１ａの近傍２１ｇと開口左辺２１ｂの近傍２１ｈとの重合わせ量は、開口部２１の上端２１ｅに向うに従って小さくなる。そこで、開口部２１の上端２１ｅから上方へ向けて開口スリット２２を形成した。よって、開口スリット２２の右辺２２ｉと開口スリット２２の左辺２２ｊとの左右方向の間隔を、開口部２１に比べて小さく抑えることができる。これにより、右辺２２ｉの近傍２２ｋと左辺２２ｊの近傍２２ｌとの重合わせ量（すなわち、開口スリット２２の周辺部の重合わせ量）も十分に確保できる。
【００６４】
このように、鼻口覆い部１５は、装着者２の顔部３を覆い本体部２０で良好に覆うように形成され、さらに、開口部２１及び開口スリット２２の重合わせ量を十分に確保するように形成されている。これにより、例えば、装着者２の体内から発する飛翔物の拡散を覆い本体部２０で好適に防止できる。
【００６５】
さらに、係止片２３を係止スリット２４から抜き出して外すことにより、鼻口覆い部１５を組立前の平坦な展開形態に戻すことができる。これにより、組立式マスク１を使用しない場合にも携帯の利便性を確保できる。
【００６６】
また、第１突起部１６の折曲部５１を筒状に折り曲げて、突起係止片５３を第１係止スリット２５に係止することにより、折曲部５１を筒状の組立形態に保持できる。さらに、第２突起部１７の折曲部５１を筒状に折り曲げて、突起係止片５３を第２係止スリット２６に係止することにより、折曲部５１を筒状の組立形態に保持できる。
これにより、第１突起部１６及び第２突起部１７の各折曲部５１を筒状の組立形態に簡単に保持できる。
さらに、第１突起部１６及び第２突起部１７の各突起係止片５３を第１係止スリット２５及び第２係止スリット２６から抜き出して外すことができる。よって、第１突起部１６及び第２突起部１７を組立前の平坦な展開形態に戻すことができる。これにより、組立式マスク１を使用しない場合にも携帯の利便性を確保できる。
【００６７】
また、第１突起部１６に第１くびれ部５２を有することにより、第１突起部１６を筒状に組み立てた状態において、第１突起部１６を第１くびれ部５２で好適に折り曲げることができる。さらに、第１突起部１６に第２くびれ部５４を有することにより、第１突起部１６を第２くびれ部５４で一層好適に折り曲げることができる。第２突起部１７も、第１突起部１６と同様に、好適に折り曲げることができる。
これにより、第１突起部１６及び第２突起部１７を覆い本体部２０から装着者２の顔部３に向けて突起するように好適に組み立てることができる。
【００６８】
また、第１突起部１６及び第２突起部１７は、覆い本体部２０の下辺部３２において左右の両側の２箇所に形成されている。よって、組立式マスク１が装着者２の顔部３に装着された状態において、第１突起部１６が顎部９の左側の部位９ａに接触し、第２突起部１７が顎部９の右側の部位９ｂに接触する。これにより、覆い本体部２０（すなわち、組立式マスク１）を顔部３に安定的に装着できる。
【００６９】
さらに、組立式マスク１が装着者２の顔部３に装着された状態において、立体に組み立てられた覆い本体部２０の頂部（すなわち、開口スリット２２の上端）２２ａが、装着者２の顔部３の鼻部８の先端８ａに接触する。
このように、第１突起部１６及び第２突起部１７の折曲部５１を顎部９の左右側の各部位９ａ，９ｂに接触させ、覆い本体部２０の頂部（開口スリット２２の上端）２２ａを鼻部８の先端８ａに接触させるようにした。よって、離隔部２０ｅを顔部３から離した位置に配置できる。
これにより、装着者２は、例えば呼吸が一層容易になり、組立式マスク１を装着したことによる息苦しさ等を一層良好に回避できる。
【００７０】
また、マスク本体１０を透明または半透明な板素材で形成した。これにより、組立式マスク１を装着した装着者２の顔部３（特に、口部５及び鼻部８）を、相対する人（対面者）からよく見えるようにでき、装着者２の顔部３の表情を自然に見せることができる。
【００７１】
また、第１掛け紐部１１の結び目１１ｂの位置を調整することにより、第１掛け紐部１１の輪の長さを調整できる。さらに、第２掛け紐部１２の結び目１２ｂの位置を調整することにより、第２掛け紐部１２の輪の長さを調整できる。
第１掛け紐部１１及び第２掛け紐部１２の輪の長さを調整することにより、顔部３に装着したマスク本体１０の湾曲状態を調整できる。よって、マスク本体１０を顔部３に好適に合わせることができる。これにより、例えば、装着者２の呼吸を好適に確保した状態で、装着者２の体内から発する飛翔物の拡散を組立式マスク１で好適に防止できる。
【００７２】
なお、本考案の技術範囲は上述した実施形態に限定されるものではなく、本考案の趣旨を逸脱しない範囲において種々の変更を加えることが可能である。
【００７３】
上述の実施形態では、第１突起部１６及び第２突起部１７を覆い本体部２０の下辺部３２の２箇所に形成した例について説明したが、これに限定しない。その他の例として、例えば、第１突起部１６及び第２突起部１７を覆い本体部２０の上辺部３１に形成してもよい。
また、覆い本体部２０に第１突起部１６及び第２突起部１７の２つの突起部を形成した例について説明したが、突起部の個数は適宜選択が可能である。
【００７４】
その他、本考案の趣旨を逸脱しない範囲で、上述した実施形態における構成要素を周知の構成要素に置き換えることは適宜可能であり、また、上述した各変形例を適宜組み合わせてもよい。
【符号の説明】
【００７５】
１…組立式マスク
２…装着者
３…顔部
４…鼻腔部
５…口部
６…鼻口部
８…鼻部
８ａ…鼻部の先端
９…顎部
１０…マスク本体
１１…第１掛け紐部（掛け紐部）
１２…第２掛け紐部（掛け紐部）
１５…鼻口覆い部
１６…第１突起部（突起部）
１７…第２突起部（突起部）
２０…覆い本体部
２０ｅ…離隔部
２１…開口部
２１ａ…開口右辺（一方の辺）
２１ｂ…開口左辺（他方の辺）
２１ｅ…開口部の上端（開口部の頂部）
２２…開口スリット（スリット）
２３…係止片
２４…係止スリット
２５…第１係止スリット（他の係止スリット）
２６…第２係止スリット（他の係止スリット）
３２…覆い本体部の下辺部（鼻口覆い部の下端部）
５１…折曲部
５２…第１くびれ部（くびれ部）
５３…突起係止片（他の係止片）
【図１】
0003228414.tif 000003
【図２】
0003228414.tif 000004
【図３】
0003228414.tif 000005
【図４】
0003228414.tif 000006
【図５】
0003228414.tif 000007
【図６】
0003228414.tif 000008
【図７】
0003228414.tif 000009
【図８】
0003228414.tif 000010